(57)【要約】【課題】画像形成装置の品質を保つことができながら、大型化を抑制することのできる梱包体を提供すること。【解決手段】  梱包体７７は、本体ケーシング２と、本体ケーシング２に装着されるように構成されるドラムカートリッジ１８と、ドラムカートリッジ１８に１対１で対応し、ドラムカートリッジ１８に着脱されるように構成される現像カートリッジ１９とを備えるプリンタ１と、プリンタ１を梱包する梱包箱５１とを備えている。梱包箱５１は、ドラムカートリッジ１８を本体ケーシング２に装着し、現像カートリッジ１９を本体ケーシング２外に配置させた状態でプリンタ１を梱包する。【選択図】図５
2014102402.tif 000002
【特許請求の範囲】
【請求項１】
筐体と、前記筐体に装着されるように構成されるドラムカートリッジと、前記ドラムカートリッジに１対１で対応し、前記ドラムカートリッジに着脱されるように構成される現像カートリッジとを備える画像形成装置と、
前記画像形成装置を梱包する梱包部材と
を備え、
前記梱包部材は、前記ドラムカートリッジを前記筐体に装着し、前記現像カートリッジを前記筐体外に配置させた状態で前記画像形成装置を梱包することを特徴とする、梱包体。
【請求項２】
前記筐体は、凹部を備え、
前記現像カートリッジは、前記凹部に配置されている
ことを特徴とする、請求項１に記載の梱包体。
【請求項３】
前記梱包部材は、
前記梱包部材の内外を連通し、前記筐体が通過する梱包側開口と、
前記梱包側開口を開閉可能な梱包側蓋部と
を備え、
前記筐体は、
前記筐体の内外を連通し、前記ドラムカートリッジが通過する筐体側開口と、
前記梱包側蓋部と対向する位置に配置され、前記筐体側開口を開閉可能な筐体側蓋部と、
前記筐体側蓋部を開閉可能に支持する支持部と
を備え、
前記現像カートリッジは、前記梱包側蓋部と前記筐体側蓋部とが対向する対向方向において、前記筐体側蓋部と重なるように配置されている
ことを特徴とする、請求項１または２に記載の梱包体。
【請求項４】
前記筐体側蓋部は、
前記対向方向における前記梱包側蓋部と対向する第１面と、
前記第１面よりも前記支持部から離れた位置、かつ、前記対向方向における前記第１面よりも前記梱包側蓋部から離れた位置に配置される第２面と
を備え、
前記現像カートリッジは、前記対向方向において、前記第２面と重なるように配置されている
ことを特徴とする、請求項３に記載の画像形成装置。
【請求項５】
前記第２面は、前記支持部から離れる方向へ向かうに従って、前記対向方向において、前記梱包側蓋部から離れる方向に傾斜していることを特徴とする、請求項４に記載の梱包体。
【請求項６】
前記筐体側蓋部と、前記現像カートリッジとの間に、衝撃を吸収する緩衝材を備えていることを特徴とする、請求項３ないし５のいずれか一項に記載の梱包体。
【請求項７】
前記緩衝材は、
前記筐体の前記対向方向と直交する直交方向において、前記筐体を挟むように１対備えられ、
前記筐体の前記直交方向両側面の全面を覆うように形成されている
ことを特徴とする請求項６に記載の梱包体。
【請求項８】
前記緩衝材は、前記梱包側蓋部と対向する位置において、前記対向方向に沿って、前記梱包側蓋部から離れる方向に凹む現像カートリッジ収容部を備えていることを特徴とする、請求項６または７に記載の梱包体。
【請求項９】
１対の前記緩衝材間と、前記対向方向および前記直交方向に平行に形成される前記筐体の側面と、前記梱包部材との間に、記憶媒体または冊子の少なくとも一方が配置されていることを特徴とする、請求項７または８に記載の梱包体。
【請求項１０】
前記画像形成装置は付属品を備え、
前記付属品は、対向方向において、前記第１面と重なる位置に配置されていることを特徴とする、請求項４ないし９のいずれか一項に記載の梱包体。
【発明の詳細な説明】
【技術分野】
【０００１】
本発明は、電子写真方式が採用される画像形成装置を梱包部材によって梱包した梱包体に関する。
【背景技術】
【０００２】
現像剤を収容する現像剤カートリッジと、感光体を有する感光体カートリッジとを備える画像形成装置が知られている。
【０００３】
このような画像形成装置として、出荷時および搬送時には、トナーカートリッジおよびドラムカートリッジを画像形成装置本体から離脱させて、トナーカートリッジおよびドラムカートリッジと、画像形成装置本体とを別体として梱包する梱包具が提案されている（例えば、特許文献１参照）。
【０００４】
そして、この梱包具によって、画像形成装置を梱包することにより、画像形成装置本体、画像形成装置本体に装着されるドラムカートリッジ、および、ドラムカートリッジに装着されるトナーカートリッジの品質の確保を図っている。
【先行技術文献】
【特許文献】
【０００５】
【特許文献１】特開２００３−３２７２９３号公報
【発明の概要】
【発明が解決しようとする課題】
【０００６】
しかるに、上記した特許文献１に記載の画像形成装置の梱包具では、ドラムカートリッジとトナーカートリッジとを画像形成装置本体の外部に配置して梱包するため、梱包体が大型化するという不具合がある。
【０００７】
そのため、現像剤カートリッジと感光体カートリッジとを画像形成装置本体内に装着した状態で梱包することにより、出荷時および搬送時における梱包体の小型化を図ることが検討される。
【０００８】
しかし、現像剤カートリッジと感光体カートリッジとを画像形成装置本体内に装着した状態で、画像形成装置を梱包すると、振動や衝撃が加わった場合に、現像剤カートリッジ内の現像剤が画像形成装置本体内に漏れるという不具合がある。
【０００９】
そこで、本発明の目的は、画像形成装置の品質を保つことができながら、大型化を抑制することのできる梱包体を提供することにある。
【課題を解決するための手段】
【００１０】
（１）上記した目的を達成するために、本発明の梱包体は、筐体と、筐体に装着されるように構成されるドラムカートリッジと、ドラムカートリッジに１対１で対応し、ドラムカートリッジに着脱されるように構成される現像カートリッジとを備える画像形成装置と、画像形成装置を梱包する梱包部材とを備えている。梱包部材は、ドラムカートリッジを筐体に装着し、現像カートリッジを筐体外に配置させた状態で画像形成装置を梱包する。
【００１１】
このような構成によれば、画像形成装置は、ドラムカートリッジが筐体内に装着され、現像カートリッジが筐体外に配置された状態で、梱包部材に梱包されている。
【００１２】
そのため、ドラムカートリッジを筐体内に配置して梱包することができるので、梱包体の大型化を抑制することができ、しかも、現像カートリッジのみを筐体外に配置させているので、現像カートリッジ内の現像剤が漏れた場合であっても、筐体内が汚染されることを抑制することができる。
【００１３】
その結果、画像形成装置の品質を保つことができながら、梱包体の大型化を抑制することができる。
（２）また、筐体は、凹部を備え、現像カートリッジは、凹部に配置されていてもよい。
【００１４】
このような構成によれば、筐体に設けられる凹部を利用して、現像カートリッジを配置することができるので、梱包体の大型化を抑制することができる。
（３）また、梱包部材は、梱包部材の内外を連通し、画像形成装置が通過する梱包側開口と、梱包側開口を開閉可能な梱包側蓋部とを備え、筐体は、筐体の内外を連通し、ドラムカートリッジが通過する筐体側開口と、梱包側蓋部と対向する位置に配置され、筐体側開口を開閉可能な筐体側蓋部と、筐体側蓋部を開閉可能に支持する支持部とを備えていてもよい。この場合、現像カートリッジは、梱包側蓋部と筐体側蓋部とが対向する対向方向において、筐体側蓋部と重なるように配置されている。
【００１５】
このような構成によれば、現像カートリッジは、対向方向において、筐体側開口を開閉する筐体側蓋部と重なるように配置されているので、筐体に対する現像カートリッジの取付位置が明確となる。
【００１６】
そのため、使用時には、現像カートリッジを筐体に対して確実に取り付けることができる。
（４）また、筐体側蓋部は、対向方向における梱包側蓋部と対向する第１面と、第１面よりも支持部から離れた位置、かつ、対向方向における第１面よりも梱包側蓋部から離れた位置に配置される第２面とを備えていてもよい。この場合、現像カートリッジは、対向方向において、第２面と重なるように配置されている。
【００１７】
このような構成によれば、第２面と梱包側蓋部との間には、第１面と梱包側蓋部との間よりも大きなスペースを設けることができる。
【００１８】
そのため、第２面と梱包側蓋部との間のスペースを利用して現像カートリッジを配置することができるので、対向方向における梱包体の大型化を抑制ことができる。
（５）また、第２面は、支持部から離れる方向へ向かうに従って、対向方向において、梱包側蓋部から離れる方向に傾斜していてもよい。
【００１９】
このような構成によれば、第２面と梱包側蓋部との間隔は、支持部側よりも、支持部から離れた側の方が大きい。
【００２０】
そのため、現像カートリッジにおける対向方向長さが長い部分を、第２面における支持部から離れた側の方へ配置することにより、第２面と梱包側蓋部との間のスペースを有効に利用して、現像カートリッジを効率よく配置することができる。
（６）また、筐体側蓋部と、現像カートリッジとの間に、衝撃を吸収する緩衝材を備えていてもよい。
【００２１】
このような構成によれば、出荷時および輸送時に、現像カートリッジにかかる振動や衝撃を抑制することができる。
【００２２】
そのため、現像カートリッジが筐体側蓋部と接触することを防止することができ、画像形成装置の品質を保つことができる。
（７）また、緩衝材は、筐体の対向方向と直交する直交方向において、筐体を挟むように１対備えられ、筐体の直交方向両側面の全面を覆うように形成されていてもよい。
【００２３】
このような構成によれば、梱包状態において、筐体と梱包部材との間に緩衝材が配置されている。
【００２４】
そのため、出荷時および輸送時に、筐体にかかる振動や衝撃を抑制することができるので、画像形成装置の品質を、一層保つことができる。
（８）また、緩衝材は、梱包側蓋部と対向する位置において、対向方向に沿って、梱包側蓋部から離れる方向に凹む現像カートリッジ収容部を備えていてもよい。
【００２５】
このような構成によれば、筐体外の現像カートリッジを、緩衝材の現像カートリッジ収容部に配置することができる。
【００２６】
そのため、出荷時および輸送時に、現像カートリッジにかかる振動や衝撃を抑制することができるので、画像形成装置の品質を、より一層保つことができる。
（９）また、１対の緩衝材間と、対向方向および直交方向に平行に形成される筐体の側面と、梱包部材との間に、記憶媒体または冊子の少なくとも一方が配置されていてもよい。
【００２７】
このような構成によれば、緩衝材、筐体、および、梱包部材によって区画される空間に記憶媒体または冊子の少なくとも一方を配置することができるので、梱包体内の空間を有効に利用することができる。
【００２８】
そのため、記憶媒体や冊子を、梱包体内にまとめて梱包することができながら、梱包体の大型化を抑制することができる。
（１０）また、画像形成装置は付属品を備え、付属品は、対向方向において、第１面と重なる位置に配置されていてもよい。
【００２９】
このような構成によれば、画像形成装置の付属品を、現像カートリッジとは異なる位置に配置することができる。
【００３０】
そのため、付属品と現像カートリッジとを、効率よく梱包することができる。
【発明の効果】
【００３１】
本発明の梱包体では、画像形成装置の品質を保つことができながら、大型化を抑制することができる。
【図面の簡単な説明】
【００３２】
【図１】図１は、本発明の梱包体を示す中央断面図である。
【図２】図２は、図１に示すプリンタを左上側から見た斜視図である。
【図３】図３は、図２に示すプリンタと、保護部材とを右上側から見た斜視図である。
【図４】図４は、図３に示すプリンタと、保護部材とが組み付けられた状態を右上側から見た斜視図である。
【図５】図５は、図４に示すプリンタを梱包箱に梱包するときの説明図である。
【図６】図６は、図５に示す梱包箱を閉鎖した梱包体を右上側から見た斜視図である。
【図７】図７は、図６に示す梱包箱の箱側開口部を開放した状態の平面図である。
【図８】図８は、図７に示す梱包体のＡ−Ａ断面図である。
【発明を実施するための形態】
【００３３】
１．プリンタの全体構成
図１および図２に示すように、画像形成装置の一例としてのプリンタ１は、略ボックス形状の筐体の一例としての本体ケーシング２を備えている。
【００３４】
また、プリンタ１は、本体ケーシング２内において、用紙Ｓを給紙するための給紙部３と、用紙Ｓに画像を形成するための画像形成部４とを備えている。
【００３５】
なお、以下の説明において、プリンタ１に関し、方向について言及する場合には、プリンタ１を水平方向に載置した状態を基準とする。すなわち、図１の紙面上側が上側であり、紙面下側が下側である。また、図１の紙面左側が前側であり、紙面右側が後側である。また、図１の紙面手前側が右側であり、紙面奥側が左側である。なお、上下方向は、第１方向の一例であり、前後方向は、第２方向の一例であり、左右方向は、第３方向の一例である。また、上側は、第１方向の一方側の一例であり、下側は、第１方向の他方側の一例である。また、前側は、第２方向の一方側の一例であり、後側は、第２方向の他方側の一例である。また、右側は、第３方向の一方側の一例であり、左側は、第３方向の他方側の一例である。
（１）本体ケーシング
本体ケーシング２には、筐体側開口の一例としてのカートリッジ開口部５と、用紙開口部６とが形成されている。
【００３６】
カートリッジ開口部５は、後述するプロセスカートリッジ１５を着脱するために形成され、本体ケーシング２の上端部において、上下方向（対向方向）に貫通形成されている。つまり、カートリッジ開口部５は、本体ケーシング２の内外を連通し、後述するプロセスカートリッジ１５が通過するように形成されている。
【００３７】
用紙開口部６は、用紙Ｓを導入するために形成され、本体ケーシング２の前端部における下端部において、前後方向に貫通形成されている。
【００３８】
また、本体ケーシング２には、その上端部に、筐体側蓋部の一例としてのトップカバー７が設けられ、その前端部に、給紙カバー８が設けられている。
【００３９】
トップカバー７は、その後端部に設けられる支持部の一例としての開閉軸１０を支点として、図３に示すように、カートリッジ開口部５を閉鎖する閉鎖位置と、図２に示すように、カートリッジ開口部５を開放する開放位置とに揺動可能に設けられている。
【００４０】
給紙カバー８は、その下端部を支点として、図３に示すように、用紙開口部６を閉鎖する閉鎖位置と、図２に示すように、用紙開口部６を開放する開放位置とに揺動可能に設けられている。
【００４１】
また、図３に示すように、本体ケーシング２は、付属品の一例としての電源ケーブル７２を備えている。
【００４２】
電源ケーブル７２は、本体ケーシング２の後面における右下側部分から延びている。
【００４３】
なお、図２および図３に示すように、本体ケーシング２の左右方向両側面は、本体側面１２として、区画されている。
（２）給紙部
給紙部３は、図１および図２に示すように、本体ケーシング２の底部に設けられる用紙載置部９を備えている。
【００４４】
用紙載置部９は、用紙開口部６を介して、本体ケーシング２の外部と連通されている。
【００４５】
そして、用紙Ｓは、給紙カバー８が開放位置に配置された状態において、その前側部分が給紙カバー８の上面にスタックされるとともに、その後側部分が用紙開口部６を介して用紙載置部９内にスタックされる。用紙載置部９にスタックされた用紙Ｓは、所定のタイミングで１枚ずつ、後述する画像形成部４に給紙される。
（３）画像形成部
画像形成部４は、プロセスカートリッジ１５と、スキャナユニット１６と、定着ユニット１７とを備えている。
【００４６】
プロセスカートリッジ１５は、本体ケーシング２に対して着脱可能に構成され、給紙部３の後側部分の上側において、本体ケーシング２に装着されている。
【００４７】
プロセスカートリッジ１５は、ドラムカートリッジ１８と、そのドラムカートリッジ１８に１対１で対応し、着脱可能に構成される現像カートリッジ１９とを備えている。
【００４８】
ドラムカートリッジ１８は、本体ケーシング２に対して着脱可能に構成されている。ドラムカートリッジ１８は、ドラムカートリッジ１８の後側部分に回転可能に設けられる感光ドラム２０と、感光ドラム２０の後側に配置され、ドラムカートリッジ１８に回転可能に設けられる転写ローラ２１と、感光ドラム２０の前上側に間隔を隔てて対向配置されるスコロトロン型帯電器２２とを備えている。
【００４９】
感光ドラム２０の表面は、スコロトロン型帯電器２２によって一様に帯電される。そして、感光ドラム２０の表面には、後述するスキャナユニット１６の露光により、画像データに基づく静電潜像が形成され、後述する現像ローラ２４に担持されるトナーが静電潜像に供給されることにより、トナー像が担持される。感光ドラム２０に担持されたトナー像は、給紙部３から給紙された用紙Ｓに転写される。
【００５０】
現像カートリッジ１９は、ドラムカートリッジ１８に対して、感光ドラム２０の前下側となるように、着脱可能に構成されている。現像カートリッジ１９は、略ボックス形状に形成されており、その内部にトナーが収容されている。また、現像カートリッジ１９は、現像ローラ２４と、把持部２５とを備えている。
【００５１】
現像ローラ２４は、その上側部分および後側部分が露出されるように、現像カートリッジ１９の後側部分に回転可能に設けられ、感光ドラム２０に対して前下側から接触可能に構成されている。現像ローラ２４には、現像カートリッジ１９内のトナーが供給され、現像ローラ２４に担持されるトナーは、感光ドラム２０の周面上の静電潜像に供給される。
【００５２】
把持部２５は、正面視略矩形状の略平板形状に形成され、現像カートリッジ１９の前端部における左右方向（直交方向）両端部にそれぞれ設けられている。把持部２５は、現像カートリッジ１９の前端部における上端部から連続して、前方へ向かうに従って斜め上方へ向かって延びるように形成されている。すなわち、把持部２５が設けられている現像カートリッジ１９の前端部は、現像カートリッジ１９の後端部よりも上下方向長さが長い。
【００５３】
スキャナユニット１６は、本体ケーシング２内において、プロセスカートリッジ１５の前側に配置されている。スキャナユニット１６は、感光ドラム２０に向けて、画像データに基づくレーザービームを出射し、感光ドラム２０の周面を露光して、感光ドラム２０の周面に画像データに基づく静電潜像を形成する。
【００５４】
定着ユニット１７は、本体ケーシング２内において、ドラムカートリッジ１８の後側部分の上側に配置されており、トナー像が転写された用紙Ｓを加熱および加圧し、用紙Ｓに画像を定着させる。
【００５５】
画像形成部４によって、画像が形成された用紙Ｓは、排出口３４を介して、本体ケーシング２外に排紙される。
２．トップカバー
トップカバー７は、図１および図３に示すように、側面視略クランク状の平面視略矩形平板形状に形成されている。トップカバー７は、第１壁３１、第２壁３２、および、１対の連結壁３３から構成されている。
【００５６】
第１壁３１は、トップカバー７の後側略半分において、前後左右に延びる略平板形状に形成されている。第１壁３１の上面は、第１面の一例として構成されており、トップカバー７において、開閉軸１０側に区画されている。
【００５７】
第２壁３２は、トップカバー７の前側略半分において、前後左右に延びる略平板形状に形成されている。第２壁３２は、第１壁３１よりも下側に配置されている。詳しくは、第２壁３２は、前側に向かうに従って、下方に傾斜している。すなわち、トップカバー７の後端部から離れるに従って、下方に傾斜している。第２壁３２の上面は、第２面の一例として構成されおり、トップカバー７において、第１壁３１よりも開閉軸１０から離れた側に区画されている。また、第２壁３２の上面と、後述する内側フラップ５７および外側フラップ５８との間は、第１壁３１の上面と、後述する内側フラップ５７および外側フラップ５８との間よりも大きなスペースを有する。また、第２壁３２は、揺動壁３５を備えている。
【００５８】
揺動壁３５は、略平板形状に形成され、その前端部を回動支点として揺動するように設けられている。揺動壁３５は、回動支点から前上側に向かって延びる位置に揺動させることによって、後述する排出口３４から排紙される用紙Ｓに対して下側に配置される排紙トレイとして構成される。
【００５９】
なお、１対の連結壁３３は、左右方向に間隔を隔てて配置され、第１壁３１の前端縁における左右方向両端部と、第２壁３２の後端縁における左右方向両端部とを連結する正面視略矩形の平板形状に形成されている。
【００６０】
なお、トップカバー７における第１壁３１の上面よりも下方に向かって凹んだ部分、すなわち、トップカバー７における第２壁３２と連結壁３３とから、凹部３０が区画される。
【００６１】
また、１対の連結壁３３間と、第１壁３１と、第２壁３２とによって排出口３４が区画されている。
３．プリンタの梱包
（１）プリンタの状態
本実施形態では、ドラムカートリッジ１８のみを本体ケーシング２に装着し、図５に示すように、現像カートリッジ１９を本体ケーシング２の外部に配置した状態で梱包する。
【００６２】
ドラムカートリッジ１８のみを本体ケーシング２に装着し、現像カートリッジ１９を本体ケーシング２の外部に配置させるには、図２に示すように、トップカバー７を開放位置に位置させ、ドラムカートリッジ１８のみを、カートリッジ開口部５を介して、本体ケーシング２に装着させる。
【００６３】
そして、図３に示すように、トップカバー７を閉鎖位置に位置させ、カートリッジ開口部５を閉鎖する。
【００６４】
これによって、プリンタ１は、ドラムカートリッジ１８が装着された本体ケーシング２と、現像カートリッジ１９とに分離される。
（２）現像カートリッジ
現像カートリッジ１９を本体ケーシング２の外部に配置して梱包するときには、図５に示すように、現像カートリッジ１９には、現像カートリッジカバー４０が装着される。
【００６５】
現像カートリッジカバー４０は、樹脂などの可撓性を有する材料から、左右方向に延び、後側が閉鎖された略有底矩形枠形状に形成されている。現像カートリッジカバー４０は、その上下方向長さが、現像カートリッジ１９の上下方向長さよりもわずかに大きく、その左右方向長さが、現像カートリッジ１９の左右方向長さよりもわずかに大きい。
【００６６】
そして、現像カートリッジカバー４０は、現像カートリッジ１９の後側から被せるように組み付けられ、図示しない係合爪によって、現像カートリッジ１９に係合される。
【００６７】
こうして、現像カートリッジカバー４０によって、現像カートリッジ１９から露出された現像ローラ２４の上側部分および後側部分が被覆される。
【００６８】
現像カートリッジカバー４０が装着された現像カートリッジ１９は、さらに、アルミ蒸着ポリエチレン製の包装袋４１に密封されて袋詰めされる。現像カートリッジ１９は、包装袋４１に袋詰めされることにより、現像カートリッジ１９内のトナーが湿気を帯びることを抑制することができる。
（３）梱包資材
上記のようにして、ドラムカートリッジ１８が装着された本体ケーシング２と、袋詰めされた現像カートリッジ１９とは、梱包資材５０を用いて梱包されることにより、図６に示すように、梱包体７７とされ、出荷および搬送される。
【００６９】
梱包資材５０は、図５に示すように、梱包部材の一例としての梱包箱５１と、緩衝材の一例としての１対の保護部材５２と、押え部材５３とを備えている。
【００７０】
梱包箱５１は、本体ケーシング２よりも大きい略ボックス形状をしており、段ボール紙などの厚紙から形成されている。梱包箱５１には、梱包側開口の一例としての箱側開口部５６が形成されている。
【００７１】
箱側開口部５６は、梱包箱５１の上部において、箱側開口部５６の内外を連通し、本体ケーシング２が通過するように形成されている。
【００７２】
また、梱包箱５１には、その上端部において、梱包側蓋部の一例としての１対の内側フラップ５７と、梱包側蓋部の一例としての１対の外側フラップ５８とが設けられている。
【００７３】
１対の内側フラップ５７は、平面視略矩形平板形状に形成され、梱包箱５１の左右方向両外側の上端縁を支点として、図５に示すように、箱側開口部５６を開放する開放位置と、図６に破線で示すように、箱側開口部５６を閉鎖する閉鎖位置とに揺動可能に設けられている。
【００７４】
１対の外側フラップ５８は、平面視略矩形平板形状に形成され、梱包箱５１の前後方向両外側の上端縁を支点として、図５に示すように、箱側開口部５６を開放する開放位置と、図６に示すように、箱側開口部５６を閉鎖する閉鎖位置とに揺動可能に設けられている。
【００７５】
１対の保護部材５２は、図３に示すように、発泡スチロールなどの緩衝材料から、その左右方向内側に本体ケーシング２および現像カートリッジ１９を受け入れ可能な略ブロック形状に形成されている。保護部材５２は、側面視において、その外寸が、本体ケーシング２の外寸よりも大きく、梱包箱５１の内寸よりもわずかに小さい。すなわち、保護部材５２は、本体ケーシング２の本体側面１２の全面を覆うように形成されている。また、１対の保護部材５２は、本体ケーシング２に組み付けたときに、その左右方向両外側面間の長さが、梱包箱５１の左右方向における内寸よりもわずかに小さくなるように設定されている。
【００７６】
保護部材５２には、本体ケーシング収容凹部６２と、貫通穴６６と、押え部材収容凹部６３と、現像カートリッジ収容部の一例としての現像カートリッジ収容凹部６４とが形成されている。また、保護部材５２には、クッション部６８と、複数の接触部６５とが設けられている。
【００７７】
本体ケーシング収容凹部６２は、保護部材５２の左右方向内側面から、左右方向外側に向かって、本体ケーシング２の側面視における外形と略同形状に窪むように形成されている。
【００７８】
貫通穴６６は、本体ケーシング収容凹部６２における保護部材５２の内側面から、左右方向外側へ向かって、保護部材５２を側面視略矩形状に貫通するように形成されている。貫通穴６６は、側面視において、本体ケーシング２よりも小さい。
【００７９】
押え部材収容凹部６３は、保護部材５２の前側部分の左右方向内側部分における上面から下方に向かって平面視略矩形状に窪み、左右方向内側に向かって開放されるように形成されている。
【００８０】
現像カートリッジ収容凹部６４は、押え部材収容凹部６３の前後方向略中央、かつ、左右方向内側における下面から下方に向かって平面視略矩形状に窪み、左右方向内側に向かって開放されるように形成されている。なお、現像カートリッジ収容凹部６４の前後方向長さは、現像カートリッジカバー４０が装着された現像カートリッジ１９の前後方向長さよりも長い。また、１対の保護部材５２を本体ケーシング２に組み付けたときの１対の現像カートリッジ収容凹部６４の左右方向両外側端部間の長さは、現像カートリッジ１９の左右方向長さよりも長くなるように設定されている。
【００８１】
クッション部６８は、保護部材５２において、現像カートリッジ収容凹部６４の下面と、本体ケーシング収容凹部６２の前側部分の上面との間の部分として形成されている。
【００８２】
複数の接触部６５は、保護部材５２の前面、後面、下面、および、左右方向外側面から、それぞれ、外側に向かって突出する突条として、設けられている。すなわち、複数の接触部６５は、保護部材５２が梱包箱５１内に梱包されたときに、梱包箱５１の内面と接触するように構成されている。
【００８３】
押え部材５３は、その下側が閉鎖された平面視略矩形の有底矩形枠形状をしており、段ボール紙などの厚紙から形成されている。押え部材５３は、その前後方向長さが、押え部材収容凹部６３の前後方向長さよりもわずかに小さく、その左右方向長さが、保護部材５２を本体ケーシング２に組み付けたときの１対の押え部材収容凹部６３の左右方向外側面間の長さよりもわずかに小さい。
（４）プリンタの梱包
プリンタ１を梱包するには、まず、電源ケーブル７２を束ねて、第１壁３１の上面に配置し、易剥離粘着性を有するテープ等により、固定する。つまり、電源ケーブル７２は、図７に示すように、上下方向において、第１壁３１と重なる位置に配置される。電源ケーブル７２が固定された本体ケーシング２は、図３に示すように、さらに、袋詰めされる。
【００８４】
次いで、ドラムカートリッジ１８が装着された本体ケーシング２の左右方向両側面に対して、１対の保護部材５２を左右方向両外側から組み付ける。
【００８５】
すると、図４に示すように、本体ケーシング２の左右方向両側面が、１対の保護部材５２の本体ケーシング収容凹部６２に嵌合される。
【００８６】
次いで、図５に示すように、梱包箱５１の内側フラップ５７および外側フラップ５８を開放位置に位置させて、箱側開口部５６を開放し、保護部材５２が組み付けられた本体ケーシング２を上側から挿入する。
【００８７】
これにより、梱包箱５１の内面に、保護部材５２の接触部６５が接触されるように、配置される。
【００８８】
なお、このとき、１対の保護部材５２間における本体ケーシング２の前面、下面、および、後面と、梱包箱５１の内面との間には、それぞれ、空間が区画される。
【００８９】
次いで、現像カートリッジカバー４０が装着された現像カートリッジ１９を１対の現像カートリッジ収容凹部６４に対して、上側から挿入する。
【００９０】
これにより、図８に示すように、現像カートリッジ１９と、本体ケーシング２のトップカバー７との間には、クッション部６８が配置される。また、図５に示すように、現像カートリッジ１９は、上下方向において、第２壁３２と重なっている。
【００９１】
そして、プリンタ１の情報が記録されている記憶媒体の一例としてのＣＤ−ＲＯＭ７０と、プリンタ１の取り扱い方法が記載されている冊子の一例としての取扱説明書７１とを一体的に袋詰めし、１対の保護部材５２間における本体ケーシング２の前面と、梱包箱５１の内面とによって区画される空間に挿入する。
【００９２】
また、プリンタ１と、図示しない外部のパーソナルコンピュータとを接続するためのＵＳＢケーブル７３を、図５および図７に示すように、束ねて、１対の保護部材５２間における本体ケーシング２の後面と、梱包箱５１の内面とによって区画される空間に挿入する。
【００９３】
次いで、図５に示すように、現像カートリッジ１９を覆うように、上から、押え部材５３を、押え部材収容凹部６３に対して嵌合させる。
【００９４】
そして、図６に示すように、内側フラップ５７および外側フラップ５８を閉鎖位置に位置させて、梱包箱５１の箱側開口部５６を閉鎖し、ガムテープ等の粘着性を有するテープにより、封止する。
【００９５】
以上により、プリンタ１の梱包が完了する。
【００９６】
このとき、現像カートリッジ１９は、図８に示すように、第２壁３２と、内側フラップ５７および外側フラップ５８との間に配置されている。
【００９７】
また、現像カートリッジ１９と第２壁３２との間に、保護部材５２が配置される。
【００９８】
また、現像カートリッジ１９と、内側フラップ５７および外側フラップ５８との間に、押え部材５３が配置されていることにより、梱包体７７が上下逆となって落下した場合であっても、現像カートリッジ１９の押え部材収容凹部６３に対する相対移動を抑制することができ、現像カートリッジ１９からトナーが漏れることを抑制することができる。
４．プリンタの設置
梱包されたプリンタ１を使用可能とするには、まず、図５に示すように、梱包箱５１の１対の内側フラップ５７、および１対の外側フラップ５８とを開放位置に位置させて、箱側開口部５６を開放させる。
【００９９】
次いで、梱包箱５１から、押え部材５３、現像カートリッジカバー４０が装着された現像カートリッジ１９、ＣＤ−ＲＯＭ７０、取扱説明書７１、および、ＵＳＢケーブル７３を取り出す。
【０１００】
そして、図４に示すように、保護部材５２が組み付けられた本体ケーシング２を取り出して、図３に示すように、本体ケーシング２から保護部材５２を取り外す。
【０１０１】
次いで、図２に示すように、トップカバー７を開放位置に位置させ、本体ケーシング２からドラムカートリッジ１８を離脱させ、ドラムカートリッジ１８に現像カートリッジ１９を装着して、プロセスカートリッジ１５とした後、プロセスカートリッジ１５を、カートリッジ開口部５を介して、本体ケーシング２内に装着する。
【０１０２】
そして、図３に示すように、トップカバー７を閉鎖位置に位置させ、電源ケーブル７２を図示しない電源に接続させる。
【０１０３】
これにより、プリンタ１が使用可能となる。
５．作用効果
（１）この梱包体７７によれば、図２および図５に示すように、プリンタ１は、ドラムカートリッジ１８が本体ケーシング２内に装着され、現像カートリッジ１９が本体ケーシング２外に配置された状態で、梱包箱５１に梱包されている。
【０１０４】
そのため、ドラムカートリッジ１８を本体ケーシング２内に配置して梱包することができるので、梱包体７７の大型化を抑制することができ、しかも、現像カートリッジ１９のみを本体ケーシング２外に配置させているので、現像カートリッジ１９内のトナーが漏れた場合であっても、本体ケーシング２内が汚染されることを抑制することができる。
【０１０５】
その結果、プリンタ１の品質を保つことができながら、梱包体７７の大型化を抑制することができる。
（２）また、この梱包体７７によれば、図４に示すように、本体ケーシング２に設けられる凹部３０を利用して、現像カートリッジ１９を配置することができるので、梱包体７７の大型化を抑制することができる。
（３）また、この梱包体７７によれば、図４に示すように、現像カートリッジ１９は、上下方向において、カートリッジ開口部５を開閉するトップカバー７と重なるように配置されているので、本体ケーシング２に対する現像カートリッジ１９の取付位置が明確となる。
【０１０６】
そのため、使用時には、まず、本体ケーシング２からドラムカートリッジ１８を取り出し、ドラムカートリッジ１８に現像カートリッジ１９を装着して、プロセスカートリッジ１５を本体ケーシング２に対して装着させることによって、現像カートリッジ１９を本体ケーシング２に対して確実に取り付けることができる。
（４）また、この梱包体７７によれば、図５に示すように、内側フラップ５７および外側フラップ５８と、第２壁３２との間には、内側フラップ５７および外側フラップ５８と、第１壁３１との間よりも大きなスペースを設けることができる。
【０１０７】
そのため、内側フラップ５７および外側フラップ５８と、第２壁３２との間のスペースを利用して現像カートリッジ１９を配置することができるので、上下方向における梱包体７７の大型化を抑制ことができる。
（５）また、この梱包体７７によれば、図３および図５に示すように、第２壁３２は、トップカバー７の開閉軸１０側、すなわち、後側から、前側に向かうに従って下方に傾斜しているので、内側フラップ５７および外側フラップ５８と、第２壁３２との間隔は、後側よりも前側の方が大きい。
【０１０８】
そのため、現像カートリッジ１９における上下方向長さが長い把持部２５側を、第２壁３２の前側へ配置することにより、内側フラップ５７および外側フラップ５８と、第２壁３２との間のスペースを有効に利用して、現像カートリッジ１９を効率よく配置することができる。
（６）また、この梱包体７７によれば、図４に示すように、現像カートリッジ１９との間に、クッション部６８を備えているので、出荷時および輸送時に、現像カートリッジ１９にかかる振動や衝撃を抑制することができる。
【０１０９】
そのため、現像カートリッジ１９がトップカバー７と接触することを防止することができ、プリンタ１の品質を保つことができる。
（７）また、この梱包体７７によれば、図７および図８に示すように、梱包状態において、プリンタ１と梱包箱５１との間に保護部材５２が配置されている。
【０１１０】
そのため、出荷時および輸送時に、本体ケーシング２にかかる振動や衝撃を抑制することができるので、プリンタ１の品質を、一層保つことができる。
（８）また、この梱包体７７によれば、図５に示すように、本体ケーシング２外の現像カートリッジ１９を、保護部材５２の現像カートリッジ収容凹部６４に配置することができる。
【０１１１】
そのため、出荷時および輸送時に、現像カートリッジ１９にかかる振動や衝撃を抑制することができるので、プリンタ１の品質を、より一層保つことができる。
（９）また、この梱包体７７によれば、図５に示すように、本体ケーシング２の前面と、保護部材５２の左右方向内側面と、梱包箱５１の内面とによって区画される空間に、ＣＤ−ＲＯＭ７０および取扱説明書７１を配置することができるので、梱包体７７内の空間を有効に利用することができる。
【０１１２】
そのため、ＣＤ−ＲＯＭ７０や取扱説明書７１を、梱包体７７内にまとめて梱包することができながら、梱包体７７の大型化を抑制することができる。
（１０）また、この梱包体７７によれば、図４に示すように、プリンタ１の電源ケーブル７２を、第１壁３１の上面に配置し、現像カートリッジ１９を、上下方向において第２壁３２と重なるように、現像カートリッジ収容凹部６４に配置することができる。すなわち、電源ケーブル７２と現像カートリッジ１９とを異なる位置に配置することができる。
【０１１３】
そのため、電源ケーブル７２と現像カートリッジ１９とを、効率よく梱包することができる。
６．変形例
上記した梱包体７７は本発明の梱包体の一実施形態であり、本発明は上記した実施形態に限定されない。
【０１１４】
上記した一実施形態では、凹部の一例として、第１壁３１の上面よりも下方に向かって凹んだ部分、すなわち、トップカバー７における第２壁３２と連結壁３３とから区画される部分を凹部３０としたが、トップカバー７の上面に、別途、上面から下方に向けて凹むような構成を採用してもよい。
【０１１５】
変形例においても、上記した実施形態と同様の作用効果を得ることができる。
【符号の説明】
【０１１６】
１      プリンタ
２      本体ケーシング
５      カートリッジ開口部
７      トップカバー
１８    ドラムカートリッジ
１９    現像カートリッジ
３０    凹部
５１    梱包箱
５２    保護部材
５６    箱側開口部
５７    内側フラップ
５８    外側フラップ
６４    現像カートリッジ収容凹部
７０    ＣＤ−ＲＯＭ
７１    取扱説明書
７２    電源ケーブル
７７    梱包体
【図１】
2014102402.tif 000003
【図２】
2014102402.tif 000004
【図３】
2014102402.tif 000005
【図４】
2014102402.tif 000006
【図５】
2014102402.tif 000007
【図６】
2014102402.tif 000008
【図７】
2014102402.tif 000009
【図８】
2014102402.tif 000010